(57)【要約】【課題】ガイド機能が所定の機能を発揮することができる電線カバー及びその電線カバーを備えたコネクタを提供する。【解決手段】コネクタは、ハウジング１０とハウジング１０に取り付けられる電線カバー２０とを備える。電線カバー２０は、ハウジング１０の後面から引き出された電線９０を覆うように合体される第１カバー２１及び第２カバー２２を備える。第１カバー２１及び第２カバー２２は、それぞれ、合体方向に沿うように配置される板状の第１壁部６９及び第２壁部４８を有し、第１壁部６９及び第２壁部４８には、合体時に互いに凹凸嵌合するガイド構造が設けられる。第１カバー２１には、合体方向に起立して第２壁部４８の内面に当接可能な矯正部７７が設けられている。【選択図】図２
2018078061.tif 000002
【特許請求の範囲】
【請求項１】
ハウジングの電線引出面から引き出された電線を覆うように互いに合体される第１カバー及び第２カバーを備え、
前記第１カバー及び第２カバーは、それぞれ、合体方向に沿うように配置される板状の第１壁部及び第２壁部を有し、前記第１壁部及び第２壁部には、合体時に互いに凹凸嵌合するガイド構造が設けられ、
前記第１カバーには、前記合体方向に起立して前記第２壁部の内面に当接可能な矯正部が設けられていることを特徴とする電線カバー。
【請求項２】
前記ガイド構造は、前記第１壁部に対をなして設けられ、対をなす前記ガイド構造の間に、前記第１カバー及び第２カバーを合体状態に保持するロック構造が設けられている請求項１記載の電線カバー。
【請求項３】
前記矯正部は、合体時に対向する前記第２カバーの電線沿わせ面に前記電線を押し付けることが可能な電線押さえ部を有している請求項１又は２記載の電線カバー。
【請求項４】
前記矯正部は、前記第１壁部に一体に連設されている請求項１ないし３のいずれか１項記載の電線カバー。
【請求項５】
前記矯正部の先端には、前記第２壁部の内面から退避する方向に傾斜する傾斜部が設けられている請求項１ないし４のいずれか１項記載の電線カバー。
【請求項６】
請求項１ないし５のいずれか１項記載の電線カバーが前記ハウジングに取り付けられてなることを特徴とするコネクタ。
【発明の詳細な説明】
【技術分野】
【０００１】
本発明は、電線カバー及びコネクタに関する。
【背景技術】
【０００２】
特許文献１に開示の電線カバーは、ハウジングから延出される電線群を覆うものであって、電線群が挿通されるコルゲートチューブを挟む込みつつ合体される第１及び第２の分割保持部を備えている。第１の分割保持部には、複数のロック突部が設けられ、第２の分割保持部には、各ロック突部と対応する位置に弾性ロック片が撓み可能に設けられている。各弾性ロック片にはロック孔が設けられ、各ロック孔にそれぞれロック突部が嵌入されることにより、両分割保持部が合体状態に保持されるようになっている。
【０００３】
また、第２の分割保持部にはガイド部が突出して設けられ、ガイド部がコルゲートチューブの外周の環状溝に差し込まれることにより、第２の分割保持部がコルゲートチューブに対しその軸方向に位置決めされるように構成されている。
【先行技術文献】
【特許文献】
【０００４】
【特許文献１】特開２００５−２６０４８号公報
【発明の概要】
【発明が解決しようとする課題】
【０００５】
ところで、両分割保持部の合体作業が行われる前、第２の分割保持部に、樹脂成形に起因する内倒れが発生する懸念がある。仮に、第２の分割保持部のガイド部を含む壁部分が内側に倒れると、ガイド部が対向する環状溝から位置ずれし、位置決めの機能を発揮することができないおそれがある。
【０００６】
本発明は上記のような事情に基づいて完成されたものであって、ガイド構造が所定の機能を発揮することができる電線カバー及びその電線カバーを備えたコネクタを提供することを目的とする。
【課題を解決するための手段】
【０００７】
本発明の電線カバーは、ハウジングの電線引出面から引き出された電線を覆うように互いに合体される第１カバー及び第２カバーを備え、前記第１カバー及び第２カバーは、それぞれ、合体方向に沿うように配置される板状の第１壁部及び第２壁部を有し、前記第１壁部及び第２壁部には、合体時に互いに凹凸嵌合するガイド構造が設けられ、前記第１カバーには、前記合体方向に起立して前記第２壁部の内面に当接可能な矯正部が設けられているところに特徴を有する。  
【発明の効果】
【０００８】
仮に、第２壁部に内倒れが発生しても、矯正部が第２壁部の内面に当接可能に配置されることにより、第２壁部の内倒れが矯正され、第２壁部が合体方向に沿うように正しく配置されるため、合体時にガイド構造が凹凸嵌合する状態を良好に確保することができ、ガイド構造が位置決め機能等の所定の機能を適正に発揮することができる。
【図面の簡単な説明】
【０００９】
【図１】本発明の実施例１のコネクタにおいて、第１カバー、ハウジング及び第２カバーの分解正面図である。
【図２】ハウジングを間に挟んで合体状態にある第１カバー及び第２カバーの正面図である。
【図３】図２において、第２カバーの前部側で横断した断面図である。
【図４】図２において、第２カバーの後部側で横断した断面図である。
【図５】合体状態にある第１カバー及び第２カバーの側面図である。
【図６】電線沿わせ面にハウジングの後面から引き出された各電線が配索された第２カバーの底面図である。
【図７】第２カバーの側面図である。
【図８】第２カバーの断面図である。
【図９】第１カバーの平面図である。
【図１０】第１カバーの側面図である。
【図１１】第１カバーの断面図である。
【発明を実施するための形態】
【００１０】
本発明の好ましい形態を以下に示す。  
前記ガイド構造は、前記第１壁部に対をなして設けられ、対をなす前記ガイド構造の間に、前記第１カバー及び第２カバーを合体状態に保持するロック構造が設けられている。第２壁部の内倒れが矯正部で矯正されることにより、対をなすガイド構造が凹凸嵌合する状態を良好に確保することができるとともに、両ガイド構造間に設けられたロック構造のロック信頼性を高めることができる。
【００１１】
前記矯正部は、合体時に対向する前記第２カバーの電線沿わせ面に前記電線を押し付けることが可能な電線押さえ部を有している。これによれば、矯正部が第２壁部の内倒れを矯正する機能と電線の遊動等を抑える機能とを兼備することができ、両機能が別々の部位に設けられるよりも全体の構成を簡単にすることができる。
【００１２】
前記矯正部は、前記第１壁部に一体に連設されている。これによれば、第１壁部の成形時の変形を矯正部によって規制することもできる。
【００１３】
前記矯正部の先端には、前記第２壁部の内面から退避する方向に傾斜する傾斜部が設けられている。矯正部の傾斜部に内倒れ状態にある第２壁部が摺動することにより、第２壁部の内倒れを円滑に解消することができる。
【００１４】
また、本発明のコネクタは、上記構成の電線カバーが前記ハウジングに取り付けられてなるところに特徴を有する。これによれば、電線カバーとハウジングとを一体として取り扱うことができる。
【００１５】
＜実施例１＞
以下、実施例１を図面に基づいて説明する。実施例１のコネクタは、ハウジング１０と、ハウジング１０に取り付けられるハウジング１０とは別体の電線カバー２０とを備えている。ハウジング１０は、図示しない相手コネクタに嵌合可能とされている。なお、以下の説明において、前後方向については、嵌合開始時にハウジング１０が相手コネクタと向き合う面側を前側とし、上下方向については、図６及び図９を除く各図を基準とし、左右方向については、図１〜図４、図８、図９及び図１１を基準とする。
【００１６】
ハウジング１０は合成樹脂製であって、図１及び図３に示すように、ブロック状のハウジング本体１１と、ハウジング本体１１の外周を覆う筒状の嵌合筒部１２とを有している。ハウジング本体１１には、複数のキャビティ１３が左右一列に並んで設けられている。各キャビティ１３内には図示しない端子金具が挿入される。各端子金具は電線９０の端末部に接続され、接続された各電線９０はハウジング本体１１の後面（電線引出面）から後方に引き出される。図６に示すように、ハウジング本体１１の後端部は、嵌合筒部１２の後端より後方に突出して配置されている。ハウジング本体１１の後端部の左右両側には、上下方向に延出する一対のリブ１４が設けられ、リブ１４と嵌合筒部１２の後端との間に、凹溝１５が設けられている。なお、電線９０の端末部の外周面にはゴム栓９５が嵌着され、ゴム栓９５がキャビティ１３の内周面に密着されることで、キャビティ１３内が液密にシールされる。
【００１７】
電線カバー２０は合成樹脂製であって、図３に示すように、ハウジング１０を上下両側から挟み込むように合体される板状の第１カバー２１及び第２カバー２２を備えている。合体状態にある第１カバー２１及び第２カバー２２は、内部に、ハウジング１０の後面から引き出された各電線９０を覆って屈曲して配索する配線空間２３を有している。なお、「屈曲」は、「回曲」を含む概念である。
【００１８】
第２カバー２２は、第１カバー２１の上側に配置される。図１及び図６に示すように、第２カバー２２は、ハウジング１０の後端部に上方から装着される装着部２４と、装着部２４の後方に連なり、ハウジング１０の後面から引き出された各電線９０を導入する導入部２５と、導入部２５の一側方（図６の右側方）に連なり、後方に引き出された各電線９０を屈曲させて前方に反転させる屈曲部２６と、屈曲部２６の前方に連なり、各電線９０を外部に導出する端部２７へ向けて前後方向に長く延出する導出部２８とを有している。装着部２４と導出部２８とは、左右に横並びで配置され、導出部２８の延出途中で上下方向に沿った板状の連結部２９を介して互いに連結されている。
【００１９】
装着部２４は、ハウジング１０の外周面の左右両側を覆う左右一対の湾曲部３５を有している。図６に示すように、両湾曲部３５のうち、導出部２８に近い側の湾曲部３５は、導出部２８から離れた側の湾曲部３５よりも前方に大きく突出する形態とされ、その前端部に連結部２９が連設されている。
【００２０】
装着部２４は、嵌合筒部１２を覆う部分とハウジング本体１１の後端部を覆う部分との間に段差を有している。装着部２４のうち、段差の後方でハウジング本体１１の後端部を覆う部分は、左右両側に、天板部分から突出する上下方向に沿った平板状の外板部３１及び内板部３２を有し、外板部３１及び内板部３２の間に、前後方向に延出して前方及び下方に開口するスリット状のガイド受部３３Ａを有している。図８に示すように、外板部３１の外面（左右側面）には、爪状のロック部３４Ａが突出して設けられている。このうち、導出部２３に近い側の外板部３１は、後述する第２離間空間４９にロック部３４Ａが臨むように配置される。また、導出部２３から離れた側の外板部３１の外面には、ロック部３４Ａの前後両側に、上下方向に沿ったガイドリブ３６が設けられている。
【００２１】
図６に示すように、内板部３２の内側面には、上下方向に延出する断面角凹状の嵌合溝３７が設けられている。内板部３２の嵌合溝３７には、ハウジング１０のリブ１４が嵌合状態で挿入され、内板部３２の嵌合溝３７より前方の部分は、ハウジング１０の凹溝１５に嵌合状態で挿入され、これにより、第２カバー２２がハウジング１０に対し前後方向に位置決めされるようになっている。
【００２２】
導入部２５は、平板状の幅広基壁部３８を有している。幅広基壁部３８の下面は、ハウジング１０の後面から引き出された各電線９０を沿わせることが可能な電線沿わせ面３９とされている。電線沿わせ面３９は、後述する基壁部４１、傾斜基壁部４７及び突片壁部５４の各下面にも連続して設けられている。導入部２５の電線沿わせ面３９は、各電線９０を横一列で沿わせることができるように左右に幅広な形態とされている。幅広基壁部３８の左右両側からは板状の側壁部分が起立して設けられ、このうち、導出部２８に近い側の側壁部分は、後述する内側壁部４２として屈曲部２６との間に共用されている。
【００２３】
図６に示すように、屈曲部２６は、幅広基壁部３８に段差なく連なる基壁部４１を有している。基壁部４１は、幅広基壁部３８の左右寸法よりも前後寸法が小さい幅狭の平板状をなし、前後両側からは板状の内側壁部４２及び外側壁部４３が起立して設けられている。各電線９０は、屈曲部２６において、導入部２５よりも高密度で上下に重なるようにして配索される。
【００２４】
内側壁部４２は、屈曲部２６で屈曲状態にある各電線９０の屈曲の内側を覆うように配置され、外側壁部４３は、各電線９０の屈曲の外側を覆うように配置される。外側壁部４３は、導入部２５の外側（導出部２８から離れた側）の側壁部分とほぼ同じ板厚で且つ上下方向に関してほぼ同じ高さ寸法で連続して構成されている。また、外側壁部４３は、突出端部（下端部）の板厚方向内側に、導入部２５の外側の側壁部分に連続して延出する突条部４４を有している。突条部４４は、第１カバー２１の突条受部６７と噛み合って、合体状態にある第１カバー２１及び第２カバー２２の位置ずれを阻止する役割をはたす。
【００２５】
また、外側壁部４３は、底面視方向となる第１カバー２１側から見て、左右方向及び前後方向に対し直線状に傾斜して配置される部分を有している。外側壁部４３の傾斜部分の外面（配線空間２３を向く面とは反対側の面）には、爪状のロック部３４Ｂが突出して設けられている。
【００２６】
内側壁部４２は、外側壁部４３よりも基壁部４１からの突出寸法が大きくなるように構成され、つまり、外側壁部４３よりも背が高くされている。図６に示すように、内側壁部４２は、電線沿わせ面３９を狭めるように略Ｕ字形に湾曲する湾曲案内部４５と、湾曲案内部４５の左右略中央部（Ｕ字の底部分）から前方へ一体に延出する中間リブ４６とを有している。中間リブ４６は、装着部２４の外板部３１と一体に連結されている。なお、内側壁部４２は、装着部２４よりも背が高くされて外板部３１に段付き状に連結され、第２カバー２２において周囲から突出する形態になっている。また、内側壁部４２の突出端部（下端部）は、突条部４４に相当する部分を有さず、板厚方向に同じ高さで連なる形態になっている。
【００２７】
図７に示すように、導出部２８は、基壁部４１に連続して基壁部４１から端部２７（前端部）へ向けて長く延出し、且つ、端部２７へ行くにしたがって内側壁部４２及び外側壁部４３が基壁部４１から起立する側とは反対側（上側）に向かうように直線状に傾斜する平板状の傾斜基壁部４７を有している。ハウジング１０の後面から引き出された各電線９０は、幅広基壁部３８及び基壁部４１の電線沿わせ面３９にほぼ水平に配索されたあと傾斜基壁部４７の電線沿わせ面３９に上向き傾斜で配索されることにより、屈曲部２６における下方への浮きが抑えられるようになっている。
【００２８】
図３に示すように、傾斜基壁部４７の左右両側からは板状の一対の第２壁部４８が起立して設けられている。図６に示すように、両第２壁部４８のうち、装着部２４に近い側の第２壁部４８は、前端部に設けられた連結部２９を介して装着部２４に連結されている。第２壁部４８と装着部２４との間及び連結部２９と内側壁部４２との間は、前後方向に細長い第２離間空間４９として上下方向に開放されている。第２壁部４８は、第２離間空間４９に臨む上下方向に沿った壁面に、爪状のロック部３４Ｃが突出して設けられている。ロック部３４Ｃは、装着部２４のロック部３４Ａと前後に位置ずれして配置されている。また、装着部２４に近い側の第２壁部４８は、前端縁に、内側壁部４２の突出端部（下端部）から前方へ向けて内側壁部４２の起立側とは反対側（上側）に傾斜する傾斜縁５１を有している（図７を参照）。
【００２９】
両第２壁部４８のうち、装着部２４から離れた側の第２壁部４８は、図７に示すように、外側壁部４３に段付き状に連なり、突出端部（下端部）が外側壁部４３の起立側とは反対側（上側）に凹んで前後方向にほぼ沿う形態になっている。第２壁部４８の外面（配線空間２３を向く面とは反対側の面）は、上下方向にほぼ沿って配置され、前後略中央部に、爪状のロック部３４Ｄが突出して設けられている。図６に示すように、ロック部３４Ｄは、装着部２４に近い側のロック部３４Ｃとは前後に位置ずれして配置されている。
【００３０】
また、第２壁部４８の外面には、ロック部３４Ｄの前後両側に、一対のガイド部５２Ｂが設けられている。両ガイド部５２Ｂは、第２壁部４８の下端から下方へ突出する前後方向にほぼ沿った板片状の形態とされている。
【００３１】
さらに、第２壁部４８は、突出端部（下端部）に、上下方向の第２段差部５３を有している。図７に示すように、両ガイド部５２Ｂは、第２段差部５３の前後両側にそれぞれ配置され、第２段差部５３を介することにより、前側のガイド部５２Ｂのほうが後側のガイド部５２Ｂよりも上方に位置するように構成されている。
【００３２】
導出部２８は、傾斜基壁部４７から端部２７にかけてほぼ同じ高さ位置で連なる突片壁部５４を有している。突片壁部５４は、前後方向に細長い樋状をなし、断面形状が湾曲している。各電線９０は、突片壁部５４に支持された状態で突片壁部５４とともに外周をテープ巻きされることで、第２カバー２２に保持されるようになっている。
【００３３】
第１カバー２１は、第２カバー２２の下側に配置される。図１及び図９に示すように、第１カバー２１は、ハウジング本体１１の後端部を下方から覆うハウジング被覆部５５と、ハウジング被覆部５５の後方に連なり、導入部２５に対向してハウジング１０の後面から引き出された各電線９０を覆う導入被覆部５６と、導入被覆部５６の一側方（図９の左側方）に連なり、屈曲部２６に対向して屈曲状態の各電線９０を覆う屈曲被覆部５７と、屈曲被覆部５７の前方に連なり、導出部２８に対向して傾斜基壁部４７に配索された各電線９０を覆う導出被覆部５８とを有している。ハウジング被覆部５５と導出被覆部５８とは、左右に横並びで配置され、相互の前端同士がリブ状の繋ぎ部５９によって連結されている。
【００３４】
ハウジング被覆部５５は、板状の被覆本体部６１を有し、被覆本体部６１の左右両側がハウジング１０の外周面の左右両側にほぼ沿うように湾曲する形態とされている。図９に示すように、被覆本体部６１の左右両側のうち、導出被覆部５８に近い側の湾曲部分は、導出被覆部５８から離れた側の湾曲部分よりも前方に大きく突出する形態とされ、前端部に繋ぎ部５９が連設されている。
【００３５】
ハウジング被覆部５５は、嵌合筒部１２を覆う部分とハウジング本体１１の後端部を覆う部分との間に段差を有している。ハウジング被覆部５５のうち、段差の後方でハウジング本体１１の後端部を覆う部分は、この後端部を位置決め状態で嵌合可能な嵌合凹部６２を有し、さらに嵌合凹部６２の左右両側に、一対のガイド部５２Ａを有している。両ガイド部５２Ａは、ハウジング被覆部５５の底板部分から上方へ突出する前後方向にほぼ沿った板片状の形態とされている。
【００３６】
また、図１及び図９に示すように、ハウジング被覆部５５の左右両端部には、撓み可能な一対の弾性ロック部６３Ａが上方に突出して設けられている。両弾性ロック部６３Ａは、前後方向に沿った板片状をなし、内部に、対応するロック部３４Ａを嵌合可能なロック孔６４が貫通して設けられている。弾性ロック部６３Ａは、ガイド部５２Ａよりも一回り大きい形態とされ、ガイド部５２Ａに相互の板面を対向させつつ並んで配置されている。
【００３７】
導入被覆部５６は、配線空間２３を挟んで幅広基壁部３８とほぼ平行に対向する平板壁部６５を有している。図９に示すように、平板壁部６５は、導入被覆部５６から屈曲被覆部５７及び導出被覆部５８にかけて段差なく連続して設けられ、上面が前後方向及び左右方向にほぼ沿った平坦な電線被覆面６６とされている。平板壁部６５からは配線空間２３を区画する板状の側壁部分が突出して設けられている。側壁部分は、平板壁部６５からの突出寸法を十分に小さくされており、突出端部（上端部）の板厚方向内側に、突条部４４と凹凸状に噛合可能な突条受部６７を有している。
【００３８】
屈曲被覆部５７は、平板壁部６５の電線被覆面６６との間に段差を介して一段落ちた凹状部６８を有している。図９に示すように、凹状部６８は、平面視湾曲状の段差７９で区画され、第１カバー２１及び第２カバー２２の合体時に、内側に、内側壁部４２の突出端部（下端部）が嵌合するようになっている。
【００３９】
屈曲被覆部５７の外側（配線空間２３を向く側とは反対側）の壁部分は、第２カバー２２側から見て、左右方向及び前後方向に対し直線状に傾斜して配置され、その外面に、撓み可能な弾性ロック部６３Ｂが上方に突出して設けられている。図１０に示すように、弾性ロック部６３Ｂは、内部にロック孔６４が貫通する板片状をなし、ハウジング被覆部５５の弾性ロック部６３Ａと同様の形態とされている。なお、導出被覆部５８に設けられる後述する一対の弾性ロック部６３Ｃ、６３Ｄも、上記と同様の形態である。
【００４０】
導出被覆部５８の平板壁部６５は、前後方向に帯状に延出する形態とされている。この導出被覆部５８の平板壁部６５の左右両側からは一対の第１壁部６９が起立して設けられている。両第１壁部６９は、側壁部分よりも一段高く側壁部分に連続して配置され、上下方向にほぼ沿った板状の形態とされている。
【００４１】
両第１壁部６９のうち、導出部２８に近い側の第１壁部６９は、第１カバー２１及び第２カバー２２の合体時に、第２カバー２２の傾斜縁５１と合致するように傾斜して配置される前端縁７１を有している（図９を参照）。第１壁部６９とハウジング被覆部５５との間及び繋ぎ部５９と屈曲被覆部５７との間は、前後方向に細長い第１離間空間７２として上下方向に開放されている。第１壁部６９には、第１離間空間７２に臨む上下方向に沿った壁面に、撓み可能な弾性ロック部６３Ｃが上方に突出して設けられている。また、第１離間空間７２には、ハウジング被覆部５５の弾性ロック部６３Ａも臨み、これら弾性ロック部６３Ａ、６３Ｃが前後に位置ずれして配置されている。なお、第１カバー２１及び第２カバー２２の合体時には、第１離間空間７２及び第２離間空間４９が上下に連通して開放されるようになっている。
【００４２】
両第１壁部６９のうち、導出部２８から離れた側の第１壁部６９は、突出端部（上端部）に、第１カバー２１及び第２カバー２２の合体時に、第２カバー２２の第２段差部５３に嵌合する第１段差部７３を有している。第１壁部６９の外面（配線空間２３を向く面とは反対側の面）は、上下方向に沿って配置され、前後略中央部に、撓み可能な弾性ロック部６３Ｄが突出して設けられている。また、第１壁部６９の外面には、弾性ロック部６３Ｄの前後両側に、上下方向にほぼ沿った板片状の一対のガイド壁７４が突出して設けられている。図３及び図５に示すように、ガイド壁７４は、第１カバー２１及び第２カバー２２の合体時に、第２カバー２２のガイド部５２Ｂに外側から覆い被さるように配置される。
【００４３】
さらに、図９に示すように、第１壁部６９の突出端部（上端部）には、第１段差部７３の前後両側で且つガイド壁７４の内側に、一対のガイド受部３３Ｂが開口して設けられている。両ガイド受部３３Ｂは、前後方向に細長く延出する有底凹状の形態とされている。図３に示すように、ガイド受部３３Ｂには、第１カバー２１及び第２カバー２２の合体時に、第２カバー２２のガイド部５２Ｂが挿入される。なお、両ガイド受部３３Ｂは、第１段差部７３を介することで高低差をもって配置されている。両ガイド壁７４も同様に高低差を有し、図１０に示すように、前側のガイド壁７４のほうが後側のガイド壁７４よりも上方に位置するように構成されている。
【００４４】
導出被覆部５８は、傾斜基壁部４７とほぼ同じ前後寸法で構成され、第１カバー２１及び第２カバー２２の合体時に、前端が傾斜基壁部４７の前端とほぼ同じ位置に配置される。このため、図５に示すように、第２カバー２２の突片壁部５４は、第１カバー２１及び第２カバー２２の合体時に、導出被覆部５８の前方に露出して配置されるようになっている。
【００４５】
図１に示すように、導出被覆部５８の前端の開口は、両第１壁部６９の前端及び平板壁部６５の前端に一体に連結された閉塞壁７５によって閉塞される。導出被覆部５８は、両第１壁部６９、平板壁部６５及び閉塞壁７５によって上方及び後方が開放された略角箱状の形態とされている。閉塞壁７５は、両第１壁部６９の前端と平板壁部６５の前端とによって区画される開口を全域にわたって閉塞する平板状の閉止壁部７６を有している。閉止壁部７６の前面は、上下方向及び左右方向に沿って平坦に配置されている。
【００４６】
また、閉塞壁７５には、閉止壁部７６から上方に突出する平板状の矯正部７７が設けられている。矯正部７７は、閉止壁部７６に一体に連なる平板状をなし、前後両面（板面）が閉止壁部７６の前後両面（板面）と面一で段差なく連続している。図２に示すように、第１カバー２１及び第２カバー２２の合体時には、傾斜基壁部４７の電線沿わせ面３９の前方を塞ぐようにして閉塞壁７５が配置され、配線空間２３の下部が閉塞壁７５によって閉塞される。この場合に、矯正部７７の突出端部（上端部）は、第１カバー２１及び第２カバー２２の合体時に、各電線９０を電線沿わせ面３９に押し付けることが可能な電線押さえ部８２として構成される。
【００４７】
矯正部７７は、両第１壁部６９とほぼ同じ板厚で構成されている。矯正部７７の左右両側縁は、上下方向にほぼ沿って配置され、両第２壁部４８に内面に対向して当接可能な倒れ矯正縁部８３として構成される。また、矯正部７７の突出端部（上端部）は、弾性ロック部６３Ｃ、６３Ｄの突出端部（上端部）とほぼ同じ高さ位置に配置されている。さらに、矯正部７７の上端の先端における左右両側の角部は、図２に示すように、第２壁部４８の内面から退避する方向にテーパ状に面取りされた傾斜部８４として構成される。
【００４８】
次に、本実施例１の作用効果を説明する。  
ハウジング１０に電線カバー２０を組み付けるに際し、第２カバー２２の装着部２４の嵌合溝３７にハウジング１０のリブ１４をスライド挿入し、第２カバー２２の電線沿わせ面３９にハウジング１０の後面から引き出された各電線９０を沿わせる（図６を参照）。この場合に、各電線９０は、屈曲部２６において、配策方向が後方から前方へと反転させられ、内側壁部４２の湾曲案内部４５に沿って回曲させられる。また、各電線９０は、導出部２８において、傾斜基壁部４７の電線沿わせ面３９に沿うように内側壁部４２の起立側とは反対側に傾斜させられる。このようにして導出部２８における各電線９０の傾斜状態が維持されるとともに、内側壁部４２が外側壁部４３よりも背が高くされていることにより、屈曲部２６において屈曲状態（回曲状態）にある各電線９０が内側壁部４２の背を超えて浮いた状態になるのが回避される。
【００４９】
続いて、第２カバー２２に第１カバー２１を被せ付ける。すると、第１カバー２１のハウジング被覆部５５がハウジング１０の後部を覆うように配置され、第１カバー２１の側壁部分が第２カバー２２の側壁部分（外側壁部４３及及び第２壁部４８を含む）に突き合わさって、第１カバー２１の突条受部６７と第２カバー２２の突条部４４とが噛み合い、且つ、第１カバー２１の凹状部６８に内側壁部４２の突出端部が嵌合挿入される。ここで、屈曲部２６において屈曲状態にある各電線９０の浮きが、上述のとおり、内側壁部４２の高背化と傾斜基壁部４７の傾斜によって抑えられているため、第１カバー２１及び第２カバー２２のそれぞれの側壁部分の突き合わせ端間に、各電線９０が噛み込む事態を防止することができる。
【００５０】
また、第１カバー２１におけるハウジング被覆部５５の一対の弾性ロック部６３Ａ、屈曲被覆部５７の弾性ロック部６３Ｂ及び導出被覆部５８の一対の弾性ロック部６３Ｃ、６３Ｄが、それぞれ、第２カバー２２における装着部２４の一対のロック部３４Ａ、屈曲部２６のロック部３４Ｂ及び導出部２８の一対のロック部３４Ｃ、３４Ｄを弾性的に係止することにより、第１カバー２１及び第２カバー２２が互いに合体状態に保持される。
【００５１】
さらに、ハウジング被覆部５５の一対のガイド部５２Ａが装着部２４の一対のガイド受部３３Ａに嵌合状態で挿入され、第２壁部４８の一対のガイド部５２Ｂが第１壁部６９の一対のガイド受部３３Ｂに嵌合状態で挿入されることにより、第１カバー２１及び第２カバー２２が合体方向と交差する方向に位置ずれするのが規制される（図３及び図４を参照）。
【００５２】
仮に、外部に導出する各電線９０が振動し、弾性ロック部６３Ａ〜６３Ｄに、対応するロック部３４Ａ〜３４Ｄから外れる方向の外力が作用しても、その外力に抗してガイド部５２Ａ、５２Ｂとガイド受部３３Ａ、３３Ｂとの凹凸嵌合状態が維持されることになるため、弾性ロック部６３Ａ〜６３Ｄとロック部３４Ａ〜３４Ｄとのロック状態が不用意に解除されることはない。とくに、ハウジング被覆部５５の一対のガイド部５２Ａが外側を外板部３１によって覆われ、第２壁部４８の一対のガイド部５２Ｂが外側を第１壁部６９のガイド壁７４によって覆われることにより、各ガイド部５２Ａ、５２Ｂが外側に拡開するのを阻止することができる。
【００５３】
また、仮に、第２壁部４８が樹脂成形等に起因して傾斜基壁部４７側を支点として内側へ倒れるように変形していたとしても、第１カバー２１及び第２カバー２２が互いに接近する過程で、矯正部７７が第２カバー２２の配線空間２３に入り込み、矯正部７７の左右の倒れ矯正縁部８３が第２壁部４８の内面に摺接することにより、第２壁部４８が上下方向に沿った正規の姿勢に矯正される。この場合、第１カバー２１及び第２カバー２２が互いに接近するのに伴って第２壁部４８の内面が矯正部７７の傾斜部８４に沿って摺動することにより、第２壁部４８の内倒れ状態が漸次円滑に解消されることになる。こうして第２壁部４８が矯正部７７によって正規の姿勢に矯正されることにより、第１壁部６９の一対のガイド受部３３Ｂに、第２壁部４８の一対のガイド部６２Ｂが正対して挿入可能な状態を担保することができ、ガイド部５２Ｂ及びガイド受部３３Ｂが所定の機能（第１カバー２１及び第２カバー２２を位置決めする機能等）を適正に発揮することができる。
【００５４】
さらに、矯正部７７を有する閉塞壁７５が第１壁部６９に一体に連設されていて第１壁部６９とともに箱形状をなしているため、樹脂成形等に起因して第１壁部６９が内側に倒れるように変形する等といった事態も未然に回避することができる。
【００５５】
ところで、各電線９０は、傾斜基壁部４７から突片壁部５４へと移行する部分において、電線沿わせ面３９から浮いた状態になる懸念がある。しかるに本実施例１の場合、第１カバー２１及び第２カバー２２が互いに合体されることにより、矯正部７７の電線押さえ部８２が移行部分に配策された各電線９０に当接して各電線９０を電線沿わせ面３９に押し付けることが可能となっている（図２及び図５を参照）。このため、各電線９０の浮きが抑えられ、各電線９０の遊動も規制される。
【００５６】
上記により、電線カバー２０がハウジング１０に取り付けられることにより、コネクタが構成される。ハウジング１０の後面から引き出された各電線９０は、突片壁部５４から前方へと導出させられ、コネクタが車両等の図示しない取付対象に取り付けられたときに、コネクタの後方のスペースに壁面等を配置することができる。また、コネクタが取付対象に取り付けられると、閉止壁部７６の前方の空間に、周辺部品１００が配置される（図５を参照）。つまり、第２カバー２２の屈曲部２６から端部２７へ向かう傾斜基壁部４７の高低差に対応する空間が、周辺部品１００との干渉を回避可能な干渉回避空間８０として構成されることになる。
【００５７】
以上説明したように本実施例１によれば、図２に示すように、矯正部７７が第２壁部４８の内面に当接可能に配置されることにより、第２壁部４８が内側に倒れるように変形するのが矯正されるため、合体時にガイド部５２Ｂとガイド受部３３Ｂとからなるガイド構造が凹凸嵌合する状態を良好に確保することができ、ガイド部５２Ｂとガイド受部３３Ｂとによる位置決め機能等の所定の機能を適正に発揮することができる。
【００５８】
また、図９に示すように、ガイド受部３３Ｂが第１壁部６９に対をなして設けられ、この対をなすガイド受部３３Ｂの間に、第１カバー２１及び第２カバー２２を合体状態に保持する弾性ロック部６３Ｄが設けられ、第２壁部４８の倒れ変形が矯正部７７によって矯正されるため、両ガイド受部３３Ｂと両ガイド部５２Ｂとが凹凸嵌合する状態を良好に確保することができるとともに、対をなすガイド受部３３Ｂの間に設けられた弾性ロック部６３Ｄのロック部３４Ｄに対するロック信頼性を高めることができる。
【００５９】
また、矯正部７７が第１カバー２１の開口を閉塞するように第１壁部６９に屈曲して連なり、合体時に対向する第２カバー２２の電線沿わせ面３９に電線９０を押し付けることが可能な電線押さえ部８２を有するため、矯正部７７が第２壁部４８の倒れ変形を規制する機能と電線９０の遊動等を抑える機能とを兼備することができ、両機能が別々の部位に設けられるよりも全体の構成を簡単にすることができる。
【００６０】
また、本実施例１によれば、図６に示すように、第１カバー２１及び第２カバー２２の合体作業を行うのに先立ち、ハウジング１０の後面から引き出された各電線９０を内側壁部４２に沿って曲げて端部２７側へ配索するが、この場合に、内側壁部４２が外側壁部４３よりも背が高くされ、さらに、傾斜基壁部４７が端部２７側へ向けて内側壁部４２の起立側とは反対側に傾斜するようになっているため、電線９０がその浮きを抑える方向に配策されることになり、電線９０の屈曲部位が浮いて内側壁部４２を超える事態を阻止することができる。その結果、その後の第１カバー２１及び第２カバー２２の合体作業を容易に行うことができるとともに、第１カバー２１及び第２カバー２２間に電線９０が噛む込むのを防止することができる。
【００６１】
また、傾斜基壁部４７は、屈曲部２６の基壁部４１から前方（各電線９０がハウジング１０から引き出される方向とは反対方向）に延出し、内側壁部４２は、第１カバー２１側から見て略Ｕ字形に湾曲する湾曲案内部４５を有しているため、ハウジング１０の後面から引き出された各電線９０を、湾曲案内部４５を屈曲中心として、端部２７側に反転させることができ、電線９０の屈曲部位（回曲部位）の浮きをより確実に阻止することができる。
【００６２】
さらに、図５に示すように、屈曲部２６と第２カバー２２の端部２７側との高低差に対応する空間が周辺部品１００との干渉を回避可能な干渉回避空間８０とされているため、傾斜基壁部４７の傾斜が電線９０の浮きを抑える機能のみならず、周辺部品１００との干渉を回避可能な干渉回避空間８０を確保するための機能を兼備することになり、構成を簡単にすることができる。
【００６３】
＜他の実施例＞
本発明の他の実施例を簡単に説明する。  
（１）第１カバー及び第２カバーのいずれか一方は、ハウジングに一体化された形態であってもよい。  
（２）第１カバー及び第２カバーは、ヒンジを介して開閉可能に一体化された形態であってもよい。  
（３）傾斜基壁部は、基壁部に対して電線の引き出し方向となる後方と交差する方向に延出するものであればよく、例えば、図６の右側方へ延出する形態であってもよい。  
（４）実施例１とは逆に、第１カバーが第２カバーの上側に配置され、第２カバーが第１カバーの下側に配置される構成であってもよい。  
（５）実施例１とは逆に、弾性ロック部が第２カバーに設けられ、ロック部が第１カバーに設けられるものであってもよい。  
（６）実施例１とは逆に、第１壁部にガイド部が設けられ、第２壁部にガイド受部が設けられるものであってもよい。
（７）矯正部は、第１壁部及び第２壁部の合体時に、第２壁部の内面に必ずしも当接していなくてもよく、第２壁部の内面に当接可能に対向して配置されていればよい。要は、矯正部は、内倒れ状態にある第２壁部の内面に当接して、第２壁部を合体方向に沿うような正規の姿勢に矯正することが可能な形態であればよい。
【符号の説明】
【００６４】
１０…ハウジング
２０…電線カバー
２１…第１カバー
２２…第２カバー
２６…屈曲部
２７…第２カバーの端部
３３Ａ、３３Ｂ…ガイド受部（ガイド構造）
３４Ａ〜３４Ｄ…ロック部（ロック構造）
３９…電線沿わせ面
４１…基壁部
４２…内側壁部
４３…外側壁部
４７…傾斜基壁部
４８…第２壁部
５２Ａ、５２Ｂ…ガイド部（ガイド構造）
６３Ａ〜６３Ｄ…弾性ロック部（ロック構造）
６９…第１壁部
７７…矯正部
８０…干渉回避空間
８２…電線押さえ部
９０…電線
【図１】
2018078061.tif 000003
【図２】
2018078061.tif 000004
【図３】
2018078061.tif 000005
【図４】
2018078061.tif 000006
【図５】
2018078061.tif 000007
【図６】
2018078061.tif 000008
【図７】
2018078061.tif 000009
【図８】
2018078061.tif 000010
【図９】
2018078061.tif 000011
【図１０】
2018078061.tif 000012
【図１１】
2018078061.tif 000013